(57)【要約】    【課題】  ０ｃｍ近傍の超近距離のマクロ撮影から遠距離までの撮影において、被写体を均一に照明することができる照明装置装備カメラを提供する。    【解決手段】  フラッシュ照明装置１２を有するカメラ１であって、  複数の発光ダイオード４２が撮影レンズ３２の最前面の外周を囲繞するように配置された発光ダイオード照明装置４を備える。【選択図】図４
2006162717.tif 000002
【特許請求の範囲】
【請求項１】
フラッシュ照明装置を有するカメラであって、
複数の発光ダイオードが撮影レンズの最前面の外周を囲繞するように配置された発光ダイオード照明装置を備えることを特徴とする、照明装置装備カメラ。
【請求項２】
複数の発光ダイオードが撮影レンズの撮影光路を避ける位置に配置されていることを特徴とする、請求項１記載の照明装置装備カメラ。
【請求項３】
複数の発光ダイオードが撮影光軸側に対して傾斜した傾斜面上に配置されていることを特徴とする、請求項１記載の照明装置装備カメラ。
【請求項４】
近距離のマクロ撮影の際には、発光ダイオード照明装置だけが動作することを特徴とする、請求項１記載の照明装置装備カメラ。
【請求項５】
撮影レンズの最前面に他の装着物が装着されているときには、発光ダイオード照明装置が動作しないように構成されていることを特徴とする、請求項１記載の照明装置装備カメラ。
【請求項６】
フラッシュ照明装置を有するレンズ交換式カメラに装着される交換レンズであって、
複数の発光ダイオードが撮影レンズの最前面の外周を囲繞するように配置された発光ダイオード照明装置を備えることを特徴とする、交換レンズ。
【請求項７】
複数の発光ダイオードが撮影レンズの撮影光路を避ける位置に配置されていることを特徴とする、請求項６記載の交換レンズ。
【請求項８】
複数の発光ダイオードが撮影光軸側に対して傾斜した傾斜面上に配置されていることを特徴とする、請求項６記載の交換レンズ。
【請求項９】
近距離のマクロ撮影の際には、発光ダイオード照明装置だけが動作することを特徴とする、請求項６記載の交換レンズ。
【請求項１０】
撮影レンズの最前面に他の装着物が装着されているときには、発光ダイオード照明装置が動作しないように構成されていることを特徴とする、請求項６記載の交換レンズ。
【請求項１１】
フラッシュ照明装置を有するカメラの撮影レンズの最前面に装着されるアクセサリー装置であって、
複数の発光ダイオードが撮影レンズの最前面の外周を囲繞するように配置された発光ダイオード照明装置を備えることを特徴とする、アクセサリー装置。
【請求項１２】
複数の発光ダイオードが撮影レンズの撮影光路を避ける位置に配置されていることを特徴とする、請求項１１記載のアクセサリー装置。
【請求項１３】
複数の発光ダイオードが撮影光軸側に対して傾斜した傾斜面上に配置されていることを特徴とする、請求項１１記載のアクセサリー装置。
【請求項１４】
近距離のマクロ撮影の際には、発光ダイオード照明装置だけが動作することを特徴とする、請求項１１記載のアクセサリー装置。
【発明の詳細な説明】
【技術分野】
【０００１】
本発明は、近距離を照明するための発光ダイオード(light emitting diode : LED)照明装置を備えるカメラ、交換レンズ及びアクセサリー装置に関する。
【背景技術】
【０００２】
近年、マクロ撮影可能であることを謳ったカメラが多々存在する。特に、デジタルスチルカメラでは、画面サイズが小さく、実焦点距離が小さいレンズを使用するために、近距離のマクロ撮影が可能であることを謳ったカメラが多々存在する。例えば、撮影レンズの先端から０ｃｍ近傍の超近距離でも撮影可能であると謳っているデジタルスチルカメラも存在する。
【０００３】
このような近距離のマクロ撮影が可能であることを謳っているカメラを用いて実際にマクロ撮影を行ってみると、自己発光する被写体を除いて、綺麗な撮影画像を得られるということは少ない。マクロ撮影が難しいというのは、主として、カメラ自身の影が写り込んでしまうことや、被写体の照明を余程上手く行わないと被写体の影が映ってしまうこと等が原因である。
【０００４】
カメラに通常内蔵されているフラッシュ照明装置は、基本的には中距離及び遠距離を照明するためのものである。中距離及び遠距離を照明する内蔵のフラッシュ照明装置を用いてマクロ撮影した場合には、レンズ鏡胴によっていわゆるケラレ現象が発生することや、フラッシュ照明装置の大光量の照明光を精密に制御することが困難であること等の問題がある。
【０００５】
上手く照明して綺麗なマクロ撮影を行いたいというユーザーの要望に答えるために、マクロ用アクセサリーフラッシュが商品化されている。マクロ用アクセサリーフラッシュは、リング状の発光体やキセノン管発光体を有する照明器材をレンズ鏡胴の前面に装着して使用される（例えば、特許文献１参照。）。しかしながら、従来のマクロ用アクセサリーフラッシュには、器材が大掛かりであることや０ｃｍ近傍の最近接のマクロ撮影には不向きであること等の諸問題がある。
【０００６】
上記諸問題を解決するために、例えば、次のような照明装置が提案されている。
【０００７】
液晶モニタをマクロ撮影時の照明光源として利用したデジタルカメラが提案されている（例えば、特許文献２参照。）。この場合、液晶モニタは均一な照明体であるが、マクロ撮影時に液晶モニタを回動させてレンズ鏡胴側に位置決めしたときに、レンズ鏡胴によってケラレ現象が発生するという問題を有している。
【０００８】
複数の白色LEDを用いた撮影用照明装置が提案されている（例えば、特許文献３参照。）。この場合、大光量のキセノン管の代わりに複数の白色LEDを用いているものの、白色LEDでは光量がかなり不足しているために、遠距離を照明するためには相当数の白色LEDを使用する必要がある。
【０００９】
【特許文献１】特開２００３−０９１０４４号公報
【特許文献２】特開２０００−０７５３６３号公報
【特許文献３】特開２００２−２０７２３６号公報
【発明の開示】
【発明が解決しようとする課題】
【００１０】
したがって、本発明の解決すべき技術的課題は、０ｃｍ近傍の超近距離のマクロ撮影から遠距離までの撮影において、被写体を均一に照明することができる照明装置装備カメラを提供することである。
【課題を解決するための手段および作用・効果】
【００１１】
上記技術的課題を解決するために、本発明によれば、以下の照明装置装備カメラが提供される。
【００１２】
すなわち、本発明に係る照明装置装備カメラは、フラッシュ照明装置を有するカメラであって、複数の発光ダイオードが撮影レンズの最前面の外周を囲繞するように配置された発光ダイオード照明装置を備えることを特徴とする。
【００１３】
上記照明装置装備カメラにおいて、複数の発光ダイオードが撮影レンズの最前面の外周を囲繞するように配置されているので、発光ダイオードの照明光路が撮影レンズで邪魔されることなく、つまりケラレ現象が発生することなく、発光ダイオードが被写体を照明することができる。
【００１４】
被写体画像に発光ダイオードが写り込まないように、複数の発光ダイオードが撮影レンズの撮影光路を避ける位置に配置されている。
【００１５】
複数の発光ダイオードを撮影光軸に対して直交する面に取り付けたあとに発光ダイオードの照明光軸を撮影光軸に対して傾斜した状態に調整することもできるが、好ましくは、複数の発光ダイオードが撮影光軸側に対して傾斜した傾斜面上に配置されている。発光ダイオードの照明光軸の光軸合わせが不要になるので、発光ダイオード照明装置の取付作業が容易になる。
【００１６】
中距離及び遠距離の撮影の際には、主としてフラッシュ照明装置が動作するが、近距離のマクロ撮影の際には、発光ダイオード照明装置だけが動作する。近距離のマクロ撮影の際にフラッシュ照明装置が動作すると、ケラレ現象の発生や光量の精密制御不可という問題が起こるために、近距離のマクロ撮影の際にはフラッシュ照明装置の動作を不可とする。また、中距離及び遠距離の撮影の際に、発光ダイオード照明装置がフラッシュ照明装置の補助照明として補助的に照明することは可能である。
【００１７】
撮影レンズの最前面に他の装着物、例えば各種フィルタやコンバータレンズ、が装着されているときには、発光ダイオード照明装置が動作しないように構成されている。
【発明を実施するための最良の形態】
【００１８】
以下に、本発明の第一実施形態に係る照明装置装備カメラとして、レンズ交換式デジタルカメラ１について、図１乃至５を参照しながら詳細に説明する。なお、本発明に係る照明装置装備カメラは、非レンズ交換式のものにも適用可能である。また、銀塩式のカメラにも適用可能である。
【００１９】
図１は、第一実施形態に係る照明装置内蔵であってレンズ交換式のデジタルカメラ１の正面図であり、図２はその背面図であり、図３はブロック図である。また、図４は、当該照明装置装備カメラで撮影するときの照明の様子を模式的に説明する図であり、図５は、当該照明装置装備カメラで撮影するときの動作を説明するフローチャートである。
【００２０】
図１に示したデジタルカメラは、ＣＣＤ３５によって撮影した画像をメモリカード装着部１５を介してメモリカードに記録するものである。カメラ全体の動作は、マイクロコンピュータであって、撮影機能及び再生機能を集中制御するボディ側ＣＰＵ（中央処理装置）５１によって制御される。
【００２１】
カメラボディ２には、レリーズ釦１７や、撮影モード、再生モード等の設定を行うためのモード設定ダイヤル２４や、連写モード、シーン選択等の設定を行うためのジョグダイアル２６や、制御値設定ダイアル２３や、変更ダイアル２５や、オートフォーカス設定釦１９や手振れ補正釦２７や設定釦２８等を含む操作部が設けられている。この操作部での操作に応じた信号がＣＰＵ５１に入力される。
【００２２】
ＣＣＤ３５の前には、シャッタが配設されている。シャッタは、例えば、先幕と後幕とを備えるフォーカルプレーンシャッタである。
【００２３】
ＣＣＤ３５は、被写体像を電気信号に光電変換するための電荷結合素子であり、相補型ＭＯＳ（ＣＭＯＳ）等も使用可能である。
【００２４】
被写体面Ｈ上の被写体像は、交換レンズ３及び絞りを介してＣＣＤ３５の受光面に結像される。交換レンズ３内の撮影レンズ３２は、測距手段で測定された被写体までの距離に基づいて、ＣＰＵ５１及びフォーカス制御部によって制御されるフォーカス用モータ（レンズ駆動部）によって駆動される。また、測光モジュール（測光手段）によって測定された測光値に基づいて、被写体輝度（ＥＶ値）が算出される。被写体輝度（ＥＶ値）から、絞りやシャッタ等の露出量が最適化される。
【００２５】
シャッタは、ＣＰＵ５１及びシャッタ制御手段によって制御されるシャッタ駆動用モータによって駆動され、ＣＣＤ３５での電荷蓄積時間（シャッタ速度）を制御する。
【００２６】
ＣＣＤ３５に蓄積された信号電荷は、光電変換されて、タイミング制御回路から加えられる読み出し信号に基づいて信号電荷に応じた電圧信号として読み出される。ＣＣＤ３５から読み出された電圧信号は、Ａ／Ｄ変換器、黒レベル補正回路、ホワイトバランス補正回路、ガンマ補正回路等の信号・画像処理部によって、信号処理及び画像処理が行われる。このような各種処理された画像データは、画像メモリに一時的に保持される。
【００２７】
画像メモリに保持された画像データは、ＶＲＡＭに入力されたあと、カメラ背面に配設されている液晶モニタ１３に出力される。その結果、被写体像が液晶モニタ１３の表示画面上にライブビュー表示として表示される。また、画像メモリにメモリされた画像データは、ＶＲＡＭに入力されたあと、ＥＶＦ（電子ビューファインダー）１４に出力されてもよい。
【００２８】
カメラボディ２の上部にはポップアップ可能な内蔵のフラッシュ照明装置１２が設けられている。内蔵のフラッシュ照明装置１２は、キセノン管やコンデンサやフラッシュ回路を備えており、大光量の照明光を瞬間的に照射することができるので、中距離又は遠距離にある被写体を照明するために使用される。内蔵のフラッシュ照明装置１２からは、フラッシュ照明光軸Ｆ１で、ある広がりを持ったフラッシュ照明光路Ｆ２のフラッシュ照明光が照射される。フラッシュ照明光軸Ｆ１は、例えば、撮影光軸Ｏに対して２乃至３度の角度で下向きであるように構成されている。なお、フラッシュ照明装置１２は、外付けタイプの外部フラッシュであっても良い。
【００２９】
交換レンズ３は、レンズ鏡胴３１の中に撮影レンズ３２と、撮影レンズ３２を駆動するためのフォーカス用モータ（レンズ駆動部）と、を備えている。レンズ着脱釦１８を押すことによって、交換レンズ３をカメラボディ２から着脱することができる。
【００３０】
交換レンズ３の最後面（カメラボディ２側）には、交換レンズ３の着脱を行うための着脱部や、カメラボディ２から電気を供給する電源供給端子や、各種信号のやり取り行う信号端子が設けられている。
【００３１】
交換レンズ３の最前面（被写体側）には、他の装着物例えば各種フィルタやコンバータレンズを装着するための着脱部や、カメラボディ２から電気を供給する電源供給端子や、各種信号のやり取り行う信号端子が設けられている。
【００３２】
交換レンズ３の最前面には、撮影レンズ３２の外周部分を囲繞する円環状の取付部３３が設けられている。取付部３３の上には、８個の発光ダイオード照明装置４が４５度の角度で均等に配設されている。
【００３３】
発光ダイオード照明装置４としては、例えば、スタンレー社製の面実装タイプの白色の発光ダイオード（ＬＥＤ）が使用可能である。この発光ダイオード（ＬＥＤ）は、例えば、駆動電圧３．７Ｖ、発光光度５００ｍｃｄ（順電流２０ｍＡで）、指向特性５０度という特性を有している。なお、発光ダイオードによる白色発光の方法として、青色ＬＥＤと黄色の蛍光体とを合成する方法や、赤・緑・青の３色の発光ダイオードを組み合わせる方法や、近紫外線ＬＥＤの近紫外線を赤・緑・青の蛍光体に照射する方法等が利用可能である。また、発光ダイオード照明装置４の前面に公知の光拡散体（例えば、樹脂に光拡散物質を混ぜたものや透明アクリル板）を設けて、発光された白色光をより華やかなものにすることができる。
【００３４】
図４に示したように、各発光ダイオード照明装置４からは、発光ダイオード照明光軸が撮影光軸Ｏに対して大略並行であって、ある広がりを持った発光ダイオード照明光路Ｌ２の発光ダイオード照明光が照射される。８個の発光ダイオード照明装置４によって照明された被写体面Ｈは、均一な照度で照明されている。
【００３５】
上述したように、中距離又は遠距離にある被写体は内蔵のフラッシュ照明装置１２によって照明され、近距離にある被写体は発光ダイオード照明装置４によって照明される。つまり、マクロ撮影で被写体が暗い場合には、発光ダイオード照明装置４によって被写体が照明される。特に撮影の邪魔にならない限り、中距離又は遠距離にある被写体に対して発光ダイオード照明装置４が照明することができる。なお、内蔵のフラッシュ照明装置１２の照明能力や装着されるレンズ３の明るさによって異なるが、レンズ交換式のカメラにおいては、例えば、大略０ｍ（超近距離）〜０．５ｍの距離が近距離に、大略０．５ｍ〜２ｍの距離が中距離に、大略２ｍ〜５ｍの距離が遠距離にそれぞれ該当する。また、レンズ非交換式の小型カメラにおいては、例えば、大略０ｍ（超近距離）〜０．２ｍの距離が近距離に、大略０．２ｍ〜１．５ｍの距離が中距離に、大略１．５ｍ〜３ｍの距離が遠距離にそれぞれ該当する。
【００３６】
また、交換レンズ３の最前面に、他の装着物例えば各種フィルタやコンバータレンズが装着されているときには、他の装着物の装着を検知して、発光ダイオード照明装置４が動作しないように構成されている。
【００３７】
次に、図５を参照しながら、発光ダイオード照明装置４が内蔵された交換レンズ３を備えたデジタルカメラ１の動作について説明する。
【００３８】
ステップ♯１００において、撮影動作が開始する。メインスイッチ２２をＯＮにすると（ステップ♯１０２）、各種チェック動作を行いながらカメラ１が起動する（ステップ♯１０４）。カメラボディ２と交換レンズ３との間でＢＬ交信が行われて（ステップ♯１０６）、交換レンズ３やアクセサリーに関する各種情報がボディ側ＣＰＵ５１に取り込まれる。
【００３９】
装着されている交換レンズ３が発光ダイオード照明装置４を備えているか否かが判断される（ステップ♯１０８）。交換レンズ３が発光ダイオード照明装置４を備えているならば、装着されている交換レンズ３の明るさや、発光ダイオード照明装置４の照明能力に応じた近距離撮影距離ｄが設定される（ステップ♯１１０）。交換レンズ３が発光ダイオード照明装置４を備えていなければ、近距離撮影距離ｄは設定されない。
【００４０】
レリーズ釦１７が押されてＯＮになっているか否かが判断される（ステップ♯１１２）。レリーズ釦１７がＯＮになっているとき、測光と測距とが行われる（ステップ♯１１４及びステップ♯１１６）。測距手段によって、被写体までの距離がＤであることが得られる。測光により得られた被写体輝度（ＥＶ値）が被写体の照明を必要とするものであるか否かが判断される（ステップ♯１１８）。被写体輝度（ＥＶ値）が低くて被写体の照明が必要であると判断されたとき、再度、交換レンズ３が発光ダイオード照明装置４を備えているか否かが判断される（ステップ♯１２０）。
【００４１】
被写体距離Ｄが近距離撮影距離ｄより小さいか否か、すなわちマクロ撮影であるか否かが判断される。被写体距離Ｄが近距離撮影距離ｄより小さい場合、発光ダイオード照明装置４だけが動作して、被写体を照明する（ステップ♯１２６）。そして、それとともに被写体の撮影が行われる（ステップ♯１２８）。
【００４２】
交換レンズ３が発光ダイオード照明装置４を備えていない場合や、被写体距離Ｄが近距離撮影距離ｄより大きい場合には、内蔵のフラッシュ照明装置１２が動作する（ステップ♯１３６）。そしてそれとともに被写体の撮影が行われる（ステップ♯１３８）。また、ステップ♯１１８で照明が必要ないと判断されたときには、照明のない通常の撮影が行われる（ステップ♯１４０）。
【００４３】
撮影された画像に対して画像処理が行われたあと（ステップ♯１４２）、画像がメモリカードに記録され（ステップ♯１４４）、一連の撮影動作が終了する（ステップ♯１４６）。
【００４４】
次に、本発明の第二実施形態に係る照明装置装備カメラ１について説明する。レンズ交換式デジタルカメラ１について、図１乃至３、５，７、８、９を参照しながら詳細に説明する。なお、第二実施形態に係る照明装置装備カメラも、非レンズ交換式のものにも適用可能である。
【００４５】
図７及び８に示したように、照明装置装備カメラ１は、交換レンズ３の前面にアクセサリー装置６を取り付けたものである。カメラボディ２や交換レンズ３は上述した第一実施形態のものと同じであるので、それらの詳細な説明を省略し、第一実施形態との相違点を中心に説明する。
【００４６】
つまり、第一実施形態との相違点は、発光ダイオード照明装置４を備えたアクセサリー装置６が交換レンズ３の前面に取り付けられていること、及び、発光ダイオード照明装置４が撮影光軸Ｏ側に所定角度で傾斜して取り付けられていることである。
【００４７】
アクセサリー装置６の最前面（被写体側）には、交換レンズ３の撮影レンズ３２の撮影光路を囲繞する円環状の取付部３３が設けられている。円環状の取付部３３は、撮影光軸Ｏに直交する面に対してある角度で傾斜した傾斜面を有している。取付部３３の傾斜面上には、８個の発光ダイオード照明装置４が４５度の角度で均等に配設されている。
【００４８】
発光ダイオード照明装置４は、上述した第一実施形態での発光ダイオード照明装置４と同じ構成のものであって、例えば、スタンレー社製の面実装タイプの白色の発光ダイオード（ＬＥＤ）である。この発光ダイオード照明装置４は、図９に示すように、ＬＥＤの発光部４２と、反射鏡４５と、樹脂からなる集光レンズ部４４と、電極端子４３と、フレキシブル基板４６とを備えている。
【００４９】
発光ダイオード照明装置４が取り付けられる傾斜面の傾斜角度は、様々な角度に設定することができるが、例えば、発光ダイオード照明光軸Ｌ１が撮影光軸Ｏに対して大略０．２ｍのところで交わるように設定することができる。つまり、発光ダイオード照明装置４が大略０．２ｍのところの被写体面Ｈを集中的に照明するように設定することができる。取付部３３の傾斜面に対して発光ダイオード照明装置４を取り付けるだけで発光ダイオード照明光軸Ｌ１の位置決めを行うことができるので、発光ダイオード照明装置４の照明光軸の光軸合わせが容易である。なお、上述した第一実施形態と同様に、撮影光軸Ｏに直交する面に対して、発光ダイオード照明装置４を取り付けた構成であってもよいことは言うまでもない。
【００５０】
次に、図５を参照しながら、発光ダイオード照明装置４が内蔵されたアクセサリー装置６を備えたレンズ交換式デジタルカメラ１の動作について説明する。
【００５１】
ステップ♯１００において、撮影動作が開始する。メインスイッチ２２をＯＮにすると（ステップ♯１０２）、各種チェック動作を行いながらカメラ１が起動する（ステップ♯１０４）。カメラボディ２と交換レンズ３とアクセサリー装置６との間でＢＬ交信が行われて（ステップ♯１０６）、交換レンズ３やアクセサリーに関する各種情報がボディ側ＣＰＵ５１に取り込まれる。
【００５２】
装着されているアクセサリー装置６が発光ダイオード照明装置４を備えているか否かが判断される（ステップ♯１０８）。アクセサリー装置６が発光ダイオード照明装置４を備えているならば、装着されている交換レンズ３の明るさや、発光ダイオード照明装置４の照明能力に応じた近距離撮影距離ｄが設定される（ステップ♯１１０）。アクセサリー装置６が発光ダイオード照明装置４を備えていなければ、近距離撮影距離ｄは設定されない。
【００５３】
レリーズ釦１７が押されてＯＮになっているか否かが判断される（ステップ♯１１２）。レリーズ釦１７がＯＮになっているとき、測光と測距とが行われる（ステップ♯１１４及びステップ♯１１６）。測距手段によって、被写体までの距離がＤであることが得られる。測光により得られた被写体輝度（ＥＶ値）が被写体の照明を必要とするものであるか否かが判断される（ステップ♯１１８）。被写体輝度（ＥＶ値）が低くて被写体の照明が必要であると判断されたとき、再度、アクセサリー装置６が発光ダイオード照明装置４を備えているか否かが判断される（ステップ♯１２０）。
【００５４】
被写体距離Ｄが近距離撮影距離ｄより小さいか否か、すなわちマクロ撮影であるか否かが判断される。被写体距離Ｄが近距離撮影距離ｄより小さい場合、発光ダイオード照明装置４だけが動作して、被写体を照明する（ステップ♯１２６）。そして、それとともに被写体の撮影が行われる（ステップ♯１２８）。
【００５５】
アクセサリー装置６が発光ダイオード照明装置４を備えていない場合や、被写体距離Ｄが近距離撮影距離ｄより大きい場合には、内蔵のフラッシュ照明装置１２が動作する（ステップ♯１３６）。そして、それとともに被写体の撮影が行われる（ステップ♯１３８）。また、ステップ♯１１８で照明が必要ないと判断されたときには、照明のない通常の撮影が行われる（ステップ♯１４０）。
【００５６】
撮影された画像に対して画像処理が行われたあと（ステップ♯１４２）、画像がメモリカードに記録され（ステップ♯１４４）、一連の撮影動作が終了する（ステップ♯１４６）。
【００５７】
次に、上記第二実施形態の変形例として、発光ダイオード照明装置４が内蔵されたアクセサリー装置６を備えたレンズ交換式デジタルカメラ１で、マクロ撮影モードで撮影するときの動作について図６を参照しながら説明する。なお、レンズ交換式デジタルカメラ１について説明するが、非レンズ交換式のものにも適用可能である。
【００５８】
ステップ♯２００において、撮影動作が開始する。メインスイッチ２２をＯＮにすると（ステップ♯２０２）、各種チェック動作を行いながらカメラ１が起動する（ステップ♯２０４）。カメラボディ２と交換レンズ３とアクセサリー装置６との間でＢＬ交信が行われて、発光ダイオード照明装置４が内蔵されたアクセサリー装置６を検知する（ステップ♯２０６）。発光ダイオード照明装置４が装着されているとの表示が、液晶モニター１３又はＥＶＦ１４上になされる（ステップ♯２０８）。
【００５９】
被写体の状態を見るために被写体を大まかに撮影し（ステップ♯２１０）、それを液晶モニター１３上にライブビューとして表示する（ステップ♯２１２）。
【００６０】
レリーズ釦１７が半押しされてＳＷ１がＯＮになっているか否かが判断される（ステップ♯２１４）。レリーズ釦１７が半押しされているとき、測光と測距とが行われる（ステップ♯２１６及びステップ♯２１８）。測距手段によって、被写体までの距離が測定されて、その距離が所定の近距離であるか否かが判断される（ステップ♯２２０）。なお、レリーズ釦１７が半押しされていないときには、再度、被写体画像を液晶モニター１３上にライブビューとして表示する。
【００６１】
被写体までの距離が近距離であるマクロ撮影である場合、発光ダイオード照明装置４が動作して、被写体を照明する（ステップ♯２２２）。発光ダイオード照明装置４によって照明された被写体について、再び、測光と測距とが行われる（ステップ♯２２４及びステップ♯２２６）。発光ダイオード照明装置４によって照明された被写体の画像が液晶モニター１３上にライブビューとして表示される（ステップ♯２２８）。
【００６２】
レリーズ釦１７が全押しされてＳＷ２がＯＮになっているか否かが判断される（ステップ♯２３０）。レリーズ釦１７が全押しされているとき、発光ダイオード照明装置４によって照明された被写体が撮影される（ステップ♯２４０）。そして、撮影された画像に対して画像処理が行われたあと（ステップ♯２４２）、画像がメモリカードに記録され（ステップ♯２４４）、一連の撮影動作が終了する（ステップ♯２４６）。
【００６３】
なお、被写体までの距離が近距離ではない非マクロ撮影である場合、レリーズ釦１７が全押しされてＳＷ２がＯＮになっているか否かが判断される（ステップ♯２３２）。レリーズ釦１７が全押しされているとき、フラッシュ照明装置１２で照明された状態で又は照明なしの状態で、被写体が撮影される（ステップ♯２４０）。そして、撮影された画像に対して画像処理が行われたあと（ステップ♯２４２）、画像がメモリカードに記録され（ステップ♯２４４）、一連の撮影動作が終了する（ステップ♯２４６）。
【図面の簡単な説明】
【００６４】
【図１】本発明の第一実施形態に係る照明装置装備カメラの正面図である。
【図２】図１に示した照明装置装備カメラの背面図である。
【図３】図１に示した照明装置装備カメラのブロック図である。
【図４】図１に示した照明装置装備カメラで撮影するときの照明の様子を模式的に説明する図である。
【図５】図１に示した照明装置装備カメラの動作を説明するフローチャートである。
【図６】本発明の他の実施形態に係る照明装置装備カメラの動作を説明するフローチャートである。
【図７】本発明の第二実施形態に係る照明装置装備カメラで撮影するときの照明の様子を模式的に説明する図である。
【図８】図７に示した照明装置装備カメラの構成を説明する図である。
【図９】図８に示した照明装置装備カメラに取り付けられた発光ダイオード照明装置の拡大図である。
【符号の説明】
【００６５】
１  カメラ
２  カメラボディ
３  交換レンズ
４  発光ダイオード照明装置
６  アクセサリー装置
１２  フラッシュ照明装置
１３  液晶（ＬＣＤ）モニタ
１４  ＥＶＦ（電子ビューファインダ）
１５  メモリーカード装着部
１７  レリーズ釦
１８  レンズ着脱釦
１９  オートフォーカス設定釦
２２  メインスイッチ
２３  制御値設定ダイアル
２４  モード設定ダイアル
２５  変更ダイアル
２６  ジョグダイアル
２７  手振れ補正釦
２８  設定釦
３１  レンズ鏡胴
３２  撮影レンズ
３３  取付部
３５  ＣＣＤ（光電変換素子）
４２  発光部（ＬＥＤ）
４３  電極端子
４４  集光レンズ部
４５  反射鏡
４６  フレキシブル基板
５１  ボディ側ＣＰＵ
５２  レンズ側ＣＰＵ
５３  電源
Ｆ１  フラッシュ照明光軸
Ｆ２  フラッシュ照明光路
Ｈ  被写体面
Ｌ１  発光ダイオード照明光軸
Ｌ２  発光ダイオード照明光路
Ｏ  撮影光軸
Ｏ２  撮影光路
【図１】
2006162717.tif 000003
【図２】
2006162717.tif 000004
【図３】
2006162717.tif 000005
【図４】
2006162717.tif 000006
【図５】
2006162717.tif 000007
【図６】
2006162717.tif 000008
【図７】
2006162717.tif 000009
【図８】
2006162717.tif 000010
【図９】
2006162717.tif 000011